(57)【特許請求の範囲】
【請求項１】
表面にトナー像が形成される像担持体と、
前記像担持体から一次転写されたトナー像を担持し、記録媒体へ該トナー像を二次転写する位置に搬送する中間転写体と、
所定位置で前記中間転写体上のトナー像を加熱する加熱手段と、
加熱され溶融したトナー像を記録媒体に押圧し、二次転写と定着とを同時に行う転写定着手段と、
前記中間転写体の表面に接触し、トナー像を二次転写した後の中間転写体上に残留するトナーを除去するクリーニング手段と、
前記中間転写体の駆動が非常停止したときに前記中間転写体の駆動が可能であるか否かを判断する駆動可能判断手段とを有し、
前記駆動可能判断手段が、前記中間転写体の駆動が可能と判断したときに、該中間転写体を駆動し、該中間転写体上のトナー像が前記加熱手段から離れた位置まで移動させるように設定されていることを特徴とする画像形成装置。
【請求項２】
前記中間転写体の駆動が非常停止し、前記駆動可能判断手段が中間転写体の駆動が不可能であると判断したときに、前記未転写トナー像を担持する中間転写体を前記加熱手段から退避させる退避手段を有することを特徴とする請求項１に記載の画像形成装置。
【請求項３】
前記加熱手段は、前記トナー像をトナー軟化点温度以上まで加熱するものであり、
前記退避手段は、前記トナー像の表面温度がトナー軟化点より低い温度に維持される位置まで、前記中間転写体を退避させるものであることを特徴とする請求項２に記載の画像形成装置
【請求項４】
前記中間転写体は、無端状のベルトであり、
前記加熱手段は、該ベルトの内周面に当接して設けられ、
前記退避手段は、該ベルトを前記加熱手段と非接触となる位置に移動させるものであることを特徴とする請求項１から請求項３までのいずれかに記載の画像形成装置。
【請求項５】
表面にトナー像が形成される像担持体と、
複数の部材によって張架された無端状ベルトであって、前記像担持体から一次転写されたトナー像を担持し、記録媒体へ該トナー像を二次転写する位置に搬送する中間転写体と、
所定位置で前記中間転写体の内面に押圧され、該中間転写体上のトナー像を加熱する加熱手段と、
加熱され溶融したトナー像を記録媒体に押圧し、二次転写と定着とを同時に行う転写定着手段と、
前記中間転写体の表面に接触し、トナー像を二次転写した後の中間転写体上に残留するトナーを除去するクリーニング手段と、
前記中間転写体の駆動が非常停止したときに該中間転写体と前記加熱手段とを離間させる離間手段と、を有し、
前記離間手段は、前記加熱手段を前記中間転写体との当接位置から後退させるとともに、該加熱手段が設けられた位置の近傍で該中間転写体の内面に向かって進出し、該中間転写体の張力を維持するベルト支持部材を有することを特徴とする画像形成装置。
【請求項６】
前記中間転写体の、前記加熱手段によって加熱される部分を、該中
間転写体と間隔をおいて覆う断熱部材と、
前記中間転写体の駆動が非常停止したときに該中間転写体の温度を所定時間内に所定温度以下に冷却する冷却手段とを有し、
前記冷却手段は、前記断熱部材と前記中間転写体との間に空気を送り込むファンを備えることを特徴とする請求項５に記載の画像形成装置。
【発明の詳細な説明】
【０００１】
【発明の属する技術分野】
本発明は、複写機、プリンター、ファクシミリ等として使用される画像形成装置及び上記画像形成装置で用いられる定着装置に係り、より詳細には、像担持体上のトナー像を中間転写体に転写した後、この中間転写体上のトナー像を記録媒体に転写すると同時に定着して画像を形成する画像形成装置及び未定着トナー像を担持した記録媒体に加熱された無端状ベルトを押圧してトナー像を定着する定着装置に関する。
【０００２】
【従来の技術】
従来より画像形成装置として、感光体(像担持体)に形成されたトナー像を中間転写ベルトへ転写し、転写されたトナー像を記録用紙に転写定着するものが知られている。以下、図６を用いてこの画像形成装置について説明する。
図６は、感光体を４個直列に配した４連式のカラーレーザプリンター(画像形成装置)の概略構成図である。この画像形成装置１００は、シアン(C)、マゼンタ(M)、イエロー(Y)、黒(K)の各色毎に独立して配置された画像形成ユニットとしての感光体ドラム１０１と、ここでは図示していない光走査装置及び現像装置と、それら色毎に形成された画像が転写される中間転写ベルト１０５と、転写装置１０６、ベルト加熱板１０９、転写ロール１０７、加圧ロール１０８、ベルトクリーナ１１１、クリーナ対向ロール１１２、ベルト駆動ロール１１３、ロールクリーナ１１４、用紙剥離ロール１２４とによって主要部が構成されている。
【０００３】
各色の光走査装置は、画像データに応じてレーザビームを変調し、レーザビーム照射装置及び回転多面鏡からなる光偏向器(各々図示省略）によってレーザビームを偏向し、表面が帯電された各々の感光体ドラム１０１上を走査露光する。これにより、感光体ドラム１０１上には静電潜像が形成され、この静電潜像が各々の現像装置により各色にトナー現像(C・M・Y・K）されて可視化される。
【０００４】
ベルト駆動ロール１１３の駆動力によって図中に示す矢印方向に循環移動する無端状の中間転写ベルト１０５は、転写装置１０６によって帯電され、可視化された各色の顕像(トナー像)は各々の感光体ドラム１０１上から所定のタイミングで順次静電力によって転写され、これらのトナー像の重ね合わせによりフルカラーの画像が形成される。
【０００５】
このカラー画像は、ベルト加熱板１０９によってトナー軟化点まで加熱され、給紙トレイや補助トレイなど(各々図示省略)から送り出された転写用紙１１５ａに転写ロール１０７及び加圧ロール１０８によって加熱定着処理が施されて、用紙剥離ロール１２４によって出力トレイ（図示省略）へ排出される。
【０００６】
また、排出された転写用紙１１５ｂに転写されず中間転写ベルト１０５上に残ったトナーは、ベルトクリーナ１１１によりクリーニングされる。この中間転写ベルト上の残留トナーをクリーニングする装置としては、例えば、特開昭６３−１８８９７８号公報や特公平４−４５８２９号公報、特公平４−３１３９４号公報に記載されたものが知られている。特開昭６３−１８８９７８号公報や特公平４−４５８２９号公報は、表面が金属で形成されたクリーニング部材を中間転写ベルトに接触させることにより、クリーニング部材に加熱溶融させたトナー等の残留物を付着させて中間転写ベルトをクリーニングするものである。また、特公平４−３１３９４号公報は、表面がトナー層で覆われたクリーニング部材でクリーニングするものである。ここで、中間転写ベルトの残留トナー像のクリーニングを確実にするための条件は次に示すものである。すなわち、クリーニング部材表面とトナーが接したときに生ずる付着力F1に対して、中間転写ベルト表面層とトナーとの間の付着力F2が小さい状態(F1>F2)のときに、中間転写ベルトの残留トナー像はクリーニング部材に付着し、中間転写ベルトがクリーニングされる。
【０００７】
この条件(F1>F2)を得るためには、F1を強めるかF2を弱める必要がある。F1を強める方法としては、図６に示すように、ベルトクリーナ１１１と対向する位置にクリーナ対向ロール１１２を配置し、ベルトクリーナ１１１と中間転写ベルト１０５間の密着性を高める方法がある。また、F2を弱める方法としては、冷えて固まったトナーを暖めるためにベルトクリーナ１１１を加熱し、トナーを溶融することにより中間転写ベルト表面層とトナーとの間の付着力を弱くする方法がある。
【０００８】
また、加圧ロール１０８は、中間転写ベルト１０５上の転写用紙１１５ａがつかない部分に残留したトナー像のクリーナの機能を兼ねている。加圧ロール１０８にクリーニングされたトナー像は、ロールクリーナ１１４によってクリーニングされる。
【０００９】
以上説明した画像形成装置１００がプリント中にジャムや部品の故障等により非常停止し、未転写トナー像が中間転写ベルト上に残留した際の例を図７に示す。この図に示すように、用紙に転写されずに中間転写ベルト上に残留した未転写トナー像１１６−１〜１１６−３は、ジャム用紙の除去や故障箇所の修理等の装置復旧後に、加圧ロール１０８とベルトクリーナ１１１によってクリーニングされる。
【００１０】
しかし、未転写トナー像が加熱状態のまま放置された場合、中間転写ベルトと未転写トナー像との付着力が増加し、クリーニング性が悪化することがこれまでの実験から分かっている。図７では、未転写トナー像１１６−３がベルト加熱板１０９に、未転写トナー像１１６−２が転写ロール１０７に加熱されたまま放置されている。従って、未転写トナー像１１６−２、１１６−３は、装置復旧後に完全にクリーニングされず、次のプリント時に用紙に転写されてしまう等の画質不良を引き起こす可能性がある。
【００１１】
一方、トナー像を加熱加圧して定着画像とする定着装置としては、図１８に示すような無端状の定着ベルトを用いるものが知られている。
この定着装置は、ヒーター５００ａを内蔵する加熱ロール５００と、この加熱ロール５００と平行に支持された支持ロール５０１と、該支持ロール５０１と加熱ロール５００とに張架された定着ベルト５０２と、この定着ベルト５０２を介して加熱ロール５００に圧接される加圧ロール５０３と、定着ベルト５０２にオフセットしたトナーをクリーニングするロール状のクリーニング装置５０４とを有している。このような定着装置では、未定着トナー像を担持する記録媒体Ｐを定着ベルト５０２と重ね合せて、加熱ロール５００と加圧ロール５０３との間で加熱・加圧する。これにより、トナー像は記録媒体Ｐに溶融圧着する。そして記録媒体Ｐは、溶融トナー像を介して定着ベルト５０２に密着した状態で剥離部まで搬送され、自身の剛性により定着ベルト５０２から剥離される。
【００１２】
また、定着ベルト５０２にオフセットしたトナーは、クリーニング装置５０４によりクリーニングされる。この無端状の定着ベルト上の残留トナーをクリーニングする装置としては、例えば、特開平２−３０９３７８号公報に記載されたものが知られている。特開平２−３０９３７８号公報は、定着ベルトより離型性の劣る材質からなり、加熱源を内蔵するロール状のクリーニング部材によって、定着ベルト上のトナー等の残留物を加熱軟化させ、該クリーニング部材に付着させてクリーニングするものである。
【００１３】
しかし、このような定着装置においても、装置が非常停止して未定着トナー像が加熱状態のまま放置された場合、定着ベルトと未定着トナー像との付着力が増加し、クリーニング性が悪化してしまうおそれがある。
【００１４】
【発明が解決しようとする課題】
本発明は上記のような問題点に鑑みてなされたものであり、その目的は、装置がプリント中にジャムや部品の故障等により非常停止した際に、未転写又は未定着トナー像が加熱されたまま放置され、中間転写ベルト又は定着ベルトとの付着力が増加するのを抑制できる画像形成装置又は定着装置を提供することである。
【００１５】
【課題を解決するための手段】
上記の目的を達成するために、請求項１に記載の発明は、  表面にトナー像が形成される像担持体と、  前記像担持体から一次転写されたトナー像を担持し、記録媒体へ該トナー像を二次転写する位置に搬送する中間転写体と、  所定位置で前記中間転写体上のトナー像を加熱する加熱手段と、  加熱され溶融したトナー像を記録媒体に押圧し、二次転写と定着とを同時に行う転写定着手段と、  前記中間転写体の表面に接触し、トナー像を二次転写した後の中間転写体上に残留するトナーを除去するクリーニング手段と、  前記中間転写体の駆動が非常停止したときに前記中間転写体の駆動が可能であるか否かを判断する駆動可能判断手段とを有し、  前記駆動可能判断手段が、前記中間転写体の駆動が可能と判断したときに、該中間転写体を駆動し、該中間転写体上のトナー像が前記加熱手段から離れた位置まで移動させるように設定されている画像形成装置を提供する。
【００１６】
請求項２に記載の発明は、請求項１に記載の画像形成装置において、  前記中間転写体の駆動が非常停止し、前記駆動可能判断手段が中間転写体の駆動が不可能であると判断したときに、前記未転写トナー像を担持する中間転写体を前記加熱手段から退避させる退避手段を有するものとする。
【００１７】
請求項３に記載の発明は、請求項２に記載の画像形成装置において、 前記加熱手段は、前記トナー像をトナー軟化点温度以上まで加熱するものであり、  前記退避手段は、前記トナー像の表面温度がトナー軟化点より低い温度に維持される位置まで、前記中間転写体を退避させるものとする。
【００１８】
請求項４に記載の発明は、請求項１から請求項３までのいずれかに記載の画像形成装置において、 前記中間転写体は、無端状のベルトであり、  前記加熱手段は、該ベルトの内周面に当接して設けられ、  前記退避手段は、該ベルトを前記加熱手段と非接触となる位置に移動させるものとする。
【００１９】
請求項５に記載の発明は、  表面にトナー像が形成される像担持体と、  複数の部材によって張架された無端状ベルトであって、前記像担持体から一次転写されたトナー像を担持し、記録媒体へ該トナー像を二次転写する位置に搬送する中間転写体と、  所定位置で前記中間転写体の内面に押圧され、該中間転写体上のトナー像を加熱する加熱手段と、  加熱され溶融したトナー像を記録媒体に押圧し、二次転写と定着とを同時に行う転写定着手段と、  前記中間転写体の表面に接触し、トナー像を二次転写した後の中間転写体上に残留するトナーを除去するクリーニング手段と、  前記中間転写体の駆動が非常停止したときに該中間転写体と前記加熱手段とを離間させる離間手段と、を有し、  前記離間手段は、前記加熱手段を前記中間転写体との当接位置から後退させるとともに、該加熱手段が設けられた位置の近傍で該中間転写体の内面に向かって進出し、該中間転写体の張力を維持するベルト支持部材を有する画像形成装置を提供するものである。
【００２０】
請求項６に記載の発明は、請求項５に記載の画像形成装置において、  前記中間転写体の、前記加熱手段によって加熱される部分を、該中間転写体と間隔をおいて覆う断熱部材と、  前記中間転写体の駆動が非常停止したときに該中間転写体の温度を所定時間内に所定温度以下に冷却する冷却手段とを有し、  前記冷却手段は、前記断熱部材と前記中間転写体との間に空気を送り込むファンを備えるものとする。
【００２１】
上記請求項１に記載の発明によれば、装置の非常停止後に中間転写体の駆動が可能であるかを判断する駆動可能判断手段が設けられているので、中間転写体の駆動が可能である場合には中間転写体を循環駆動させ、中間転写体上に残留している未転写トナー像を加熱手段と接触しない非加熱位置まで移動することが可能となる。このため、加熱手段から未転写トナー像を退避する時間を短縮することができるとともに、装置復旧後のクリーニング動作を簡略化することが可能となる。すなわち、加熱手段からの退避動作が中間転写体を駆動するだけなので、非常停止後にすぐに退避動作を開始することができる。また、加熱手段から退避した後の中間転写体の状態が通常の画像形成動作終了後の状態と同じであるために、余分な動作を省くことができる。
【００２２】
また、請求項２に記載の発明によれば、装置がプリント中にジャムや部品の故障等により非常停止し、記録媒体に転写できなかった未転写トナー像が中間転写体上に残留した際に、退避手段によって前記未転写トナー像を加熱手段から退避させることにより、未転写トナー像が加熱溶融するのを防止することが可能となる。これにより、未転写トナー像と中間転写体との付着力が増加するのを防止でき、装置復旧後に未転写トナー像を容易にクリーニングすることができる。
【００２３】
請求項３に記載の発明によれば、中間転写体を加熱手段から退避させることによって、中間転写体上に残留している未転写トナー像の表面温度をトナー軟化点より低い温度に維持することが可能となり、未転写トナー像の溶融による中間転写体への投錨を防ぐことができる。このため、未転写トナー像と中間転写体との付着力が増加するのを防止でき、装置復旧後に未転写トナー像を容易にクリーニングすることができる。
【００２４】
請求項４に記載の発明によれば、無端状のベルトである中間転写体を加熱手段と非接触となる位置に移動させることにより、この上に残留している未転写トナー像が加熱放置されるのを防ぐことができる。
【００２５】
請求項５に記載の発明によれば、前記離間手段によって未転写トナー像が残留している中間転写体と加熱手段とを離間させることにより、中間転写体が加熱手段から伝導する熱によって加熱され続けるのを防ぐことができる。このため、中間転写体上の未転写トナー像が高温状態に維持されることはなくなり、未転写トナー像と中間転写体との付着力が増加するのを防止できる。
【００２６】
さらに、通常のプリント時には、前記加熱手段によって前記中間転写体を張架するとともに加熱し、装置がプリント中に非常停止した際には、前記ベルト支持部材によって該中間転写体の張力を維持したまま、該加熱手段を後退させることができる。このため、中間転写体と加熱手段とを離間させて、中間転写体の温度を低下させることができるとともに、張架された中間転写体にゆるみが生じて位置がずれたりする不都合を防止することができる。
【００２７】
また、請求項６に記載の発明によれば、前記加熱装置によって加熱される部分の中間転写体は断熱材によって放熱しにくい状態となっており、該中間転写体上の未転写トナー像を効率良く加熱溶融することができる。そして、装置がプリント中にジャムや部品の故障等により非常停止した際には、前記ファンによって断熱材と該中間転写体との間に空気流が形成され、これによって中間転写体を率良く冷却することができる。このため、中間転写体上の未転写トナー像が、高温状態のまま維持される時間が短縮され、付着力の増加が防止される。
【００２８】
【発明の実施の形態】
以下、本願発明の実施の形態を図に基づいて説明する。
図１は、請求項１、請求項２、請求項３又は請求項４に記載の発明の一実施形態である画像形成装置を示す概略構成図である。
この画像形成装置は、周面が周回可能に支持された無端ベルト状の中間転写ベルト５を備えており、この中間転写ベルト５と対向する位置に、イエロー、マゼンタ、シアン、ブラックの各色毎に独立した４つの画像形成ユニット１０Ｃ、１０Ｍ、１０Ｙ、１０Ｋが配設されている。各画像形成ユニット１０Ｃ、１０Ｍ、１０Ｙ、１０Ｋは、表面に静電潜像が形成される感光体ドラム１を有しており、各感光体ドラム１の周囲に、該感光体ドラムの表面をほぼ一様に帯電する帯電装置２と、感光体ドラム表面にレーザー光を照射して静電潜像を書き込む像書き込み装置３と、感光体ドラム上に形成された潜像にトナーを選択的に転移させてトナー像を形成する現像装置４と、感光体ドラム１上のトナー像を中間転写ベルト５上に一次転写する転写帯電器６とを備えている。
【００２９】
上記中間転写ベルト５の内側又は外側には、ベルト駆動ロール１３と、加熱ロール７と、ベルトクリーナ１１と、クリーナ対向ロール１２と、中間転写ベルト弛緩ロール２１と、中間転写ベルト離間ロール２２、２３、２５と、用紙剥離ロール２４等が配置され、ベルト駆動ロール１３の回転によって中間転写ベルト５が図中に示す矢印方向に周回可能に張架されている。
【００３０】
さらに、中間転写ベルト５の周回方向における加熱ロール７の上流側には、中間転写ベルト上のトナー像を加熱するベルト加熱板９が、該中間転写ベルト５の裏面側に沿って設けられている。また、加熱ロール７と中間転写ベルト５を介して対向する位置には加圧ロール８が配置され、さらに加圧ロール８の表面をクリーニングするロールクリーナ１４が設けられている。
【００３１】
さらに、中間転写ベルト５の外周面と対向する位置に、紙詰まりを検知するセンサ３１が設けられ、このセンサ３１からの信号に基づき中間転写ベルト５の駆動が可能であるか判断する駆動可能判断手段３２と、ベルト駆動ロール１３を回転駆動させるモータ３３とが備えられている。なお、上記センサ３１を設けずに、モータ３３の負荷の増大を検知し、中間転写ベルト５の駆動が可能であるかを駆動可能判断手段によって判断するようにしてもよい。
【００３２】
上記ベルト加熱板９は、金属板の裏面に面状のヒータを貼り付けたものを用いている。上記加熱ロール７、圧力ロール８、及びクリーナ対向ロール１２は、金属ロール上にシリコーンゴムを有したものを用い、内部に熱源を設けて温度制御を可能としている。
【００３３】
上記中間転写ベルト５は、ベース層と表面層から構成されており、ここではベース層にポリイミドフィルム、表面層にはシリコーンゴムが用いられている。ベルトクリーナ１１、ロールクリーナ１４は、内部に温度制御が可能な熱源を有する金属ロール上に、表面層として、トナーのガラス転移点(約６５℃)及びトナーの軟化点(約１１３℃)それぞれとほぼ同じガラス転移点と軟化点を持つポリエステル樹脂が用いられている。
【００３４】
また、上記中間転写ベルト５を支持する弛緩ロール２１は、図３に示すように、中間転写ベルト５を駆動する際の点線で示した位置２１−１から矢印で示す位置２１−２に移動可能に設けられている。中間転写ベルト離間ロール２２，２３，２５も同様に、中間転写ベルト５を駆動する際の点線で示した位置２２−１，２３−１，２５−１から矢印で示す位置２２−２，２３−２，２５−２に移動可能に設けられている。これらの弛緩ロール２１、離間ロール２２，２３，２５の動作については後述する。
【００３５】
上記加熱ロール７及び加圧ロール８の熱源は９５℃に設定され、両ロール７，８間の加圧荷重は７３５Ｎに設定されている。加圧ロール８は、中間転写ベルト５の起動直後の負荷を軽減するために駆動後に中間転写ベルト５に接触し、中間転写ベルト５の停止前に中間転写ベルト５から離れるように設定されている。
【００３６】
次に、上記画像形成装置の動作について説明する。
画像形成動作が開始されると、シアン用画像形成ユニット１０Ｃにおいて、感光体ドラム１の表面が帯電装置２で一様に帯電され、次いで像書き込み装置３から像光が照射され、感光体ドラム１の表面に潜像が形成される。そして、感光体ドラム上の潜像はシアントナーを収容する現像装置４との対向位置を通過し、現像電界の作用により電荷を有するトナーが感光体ドラム１上の潜像の露光部に転移し、トナー像が形成される。このトナー像は、感光体ドラム１の周回移動により中間転写ベルト５の周面と当接され、転写帯電器６の作用によりトナー像が中間転写ベルト５上に静電吸着され、一次転写が行われる。
【００３７】
同様にマゼンタ用画像形成ユニット１０Ｍにおいて、帯電装置２による感光体ドラム１の帯電、像書き込み装置３からの像光の照射、マゼンタ用現像装置３によるトナー像の形成がなされ、このトナー像が中間転写ベルト５上に先に形成されたシアントナー像の上に重ねて転写される。さらに、イエロー用画像形成ユニット１０Ｙ、ブラック用画像形成ユニット１０Ｋにおいても同様に感光体ドラム１上にトナー像の形成がなされ、それぞれ中間転写ベルト５上に形成された前のトナー像に重ねて転写される。
【００３８】
中間転写ベルト５上に形成された４色のトナー像は、中間転写ベルト５の周回移動にともなって、１６０℃に設定したベルト加熱板９上を通過する間に加熱され、溶融する。そして、このトナー像が加熱ロール７と加圧ロール８との対向位置を通過するタイミングに合わせて転写用紙１５ａが搬送され、加熱加圧されることによりトナー像が転写用紙上に転写定着される。
【００３９】
トナー像が転写定着された転写用紙１５ｂは、用紙剥離ロール２４に達するまでに冷却され、トナー像が転写用紙１５ｂに十分に投錨された状態で用紙剥離ロール２４によって剥離され、図示していない出力トレイへ排出される。
【００４０】
ここで、中間転写ベルト５に転写されるトナー像について説明する。中間転写ベルト５には、転写用紙１５ａにプリント画像として転写されるもの以外のトナー像も転写されている。例えば、トナー濃度や４色のトナー像の転写位置を制御するための制御用画像等が挙げられる。また、カブリトナーと呼ばれる感光体ドラム１上にトナー像以外に付着している極低濃度のトナーも中間転写ベルト５にトナー像として転写される。
【００４１】
従って、転写用紙１５ａに画像を転写定着した後にも、中間転写ベルト５上にはトナー像が残留しており、それらは加圧ロール８に付着してしまう。そこで、ロールクリーナ１４は、加圧ロール８に付着したトナー像を除去し、これが次に搬送された転写用紙の裏面に付着するのを防いでいる。ロールクリーナ１４は内部の熱源が１１５℃に設定され、ロールクリーナ１４と加圧ロール８間の加圧荷重は９８Ｎに設定されている。また、ロールクリーナ１４は、中間転写ベルト５を起動した直後の負荷を軽減するために中間転写ベルト５の駆動後に加圧ロール８にニップし、中間転写ベルト５の停止前に加圧ロール８から離れるようにした。
【００４２】
次に、ベルトクリーナ１１には、中間転写ベルト５上に残留したトナー像が一度冷却された状態で搬送されてくる。そこで、ベルトクリーナ１１はトナー軟化点より高い１２０℃に設定され、ベルトクリーナ１１と中間転写ベルト５を介して対向する位置に配置したクリーナ対向ロール１２は９０℃に設定され、そして、ベルトクリーナ１１とクリーナ対向ロール１２間の加圧荷重は１９６Ｎに設定されている。これにより、冷却されたトナー像は再度溶融し、中間転写ベルト５とトナーとの付着力を低くできる。さらに、ポリエステル樹脂の弾性によりベルトクリーナ１１とクリーナ対向ロール１２間の接触面積が増えることから、ベルトクリーナ１１によるクリーニング性を高くすることができる。これらにより、確実な中間転写ベルト５のクリーニングができる。また、ベルトクリーナ１１は、中間転写ベルト５を起動した直後の負荷を軽減するために駆動後に中間転写ベルト５に接触し、中間転写ベルト５の停止前に中間転写ベルト５から離れるようにした。
【００４３】
以上説明した画像形成装置２０がプリント中にジャムや部品の故障等により非常停止し、転写用紙に転写できなかった未転写トナー像が中間転写ベルト上に残留した際の例を図２に示す。符号１６−１〜符号１６−３は用紙に転写されずに中間転写ベルト５上に残留した未転写トナー像である。このとき、加圧ロール８とベルトクリーナ１１は中間転写ベルト５から離間している。
【００４４】
画像形成装置２０の非常停止後、センサ３１からの信号に基づき駆動可能判断手段３２によって非常停止の原因が分析され、中間転写ベルト５の駆動が可能であるかが判断される。中間転写ベルト５の駆動が不可能であるとは、例えば、ベルト駆動ロール１３を駆動するモータ３３の故障、中間転写ベルト５の破損、図示していない出力トレイ周辺での中間転写ベルト５と転写用紙の紙づまりにより転写用紙がくしゃくしゃにつまっている場合、等である。こういった場合の未転写トナー像の加熱部退避例を図３に示す。画像形成装置の停止後、中間転写ベルト弛緩ロール２１は、点線で示した非常停止直後の位置２１−１から矢印で示した位置２１−２に移動し、中間転写ベルト５をゆるめている。また、中間転写ベルト離間ロール２２，２３，２５は、点線で示した非常停止直後の位置２２−１，２３−１，２５−１から矢印で示した位置２２−２，２３−２，２５−２に移動し、中間転写ベルト５と加熱源であるベルト加熱板９及び加熱ロール７とを非接触の状態に維持している。この状態において、未転写トナー像１６−１〜１６−３は、完全に熱源から離れているために、中間転写ベルト５との付着力が増加するのが抑制されている。
【００４５】
図５にトナー像の加熱放置時間とベルト付着力との関係図を示す。これまでの実験により、未転写トナー像を加熱したまま放置した場合、トナー像と中間転写ベルトとの付着力は放置時間に従って上昇していくことが分かっている。これは、溶融したトナーが中間転写ベルト表面のゴムにからみついたような状態が形成されるためであると考えられている。また、中間転写ベルトが劣化していくと更に付着力が増加していく。ここで、中間転写ベルトの劣化とは、プリント枚数が増加していくにつれて、加熱やトナー像の付着剥離、転写用紙の付着剥離等によって、中間転写ベルト表面の離型性が落ちていくことを示している。すなわち、中間転写ベルト上に形成されたトナー像が次第に取れにくくなっていくわけである。さらに、ある条件で構成されたベルトクリーナにはクリーニング可能な領域があり、ある付着力以上のものはクリーニングができなくなることが実験より明らかになっている。
【００４６】
従って、中間転写ベルト上へトナー像を放置する場合、加熱放置時間を短くするか、トナーが溶融しない状態にしておくことがクリーニング性の維持には必要である。
【００４７】
ここで、加熱放置した際の加熱温度と放置時間によるクリーニング性とを実験した結果について説明する。トナー像を中間転写ベルト上に形成し、１６０℃で一度溶融させてから、所定時間後に非加熱部に移動した場合のクリーニング性を調べた。その結果、ある劣化レベルの中間転写ベルトでは、非加熱部への移動に２分以上かかった場合にクリーニング残りが発生してしまうことが分かった。そこで、さらに劣化が進んだときを考慮すると、装置の非常停止から1分以内に未転写トナー像を非加熱部に移動すればクリーニング性能が維持できるということが推定できる。
【００４８】
図４は、装置の非常停止時に駆動可能判断手段３２によって中間転写ベルト５の駆動が可能であると判断された場合の、未転写トナー像の加熱部退避例を示したものである。
中間転写ベルト５の駆動が可能である場合としては、例えば、感光ドラム１の駆動モータの故障、転写用紙の図示していない給紙トレイからのフィードミス等により転写用紙が中間転写ベルト５まで達していないか中間転写ベルト５上に貼り付いているがくしゃくしゃになっていない場合、等である。このような場合は、中間転写ベルト５の張架状態を変えずに中間転写ベルト５を駆動させた方が復旧後の動作が早くなる。すなわち、中間転写ベルト５の張架状態を変える動作が省け、早く動作を開始できる。
【００４９】
以上のように、非常停止時における駆動可能判断手段、及び、この駆動判断に基づく二つの加熱部退避手段を有することにより、効率良く未転写トナー像を非加熱状態に維持することができる。なお、中間転写ベルト５の駆動により、未転写トナー像１６−１〜１６−３の表側が中間転写ベルト弛緩ロール２１等に接触し、各ロールを汚す可能性があるが、各ロールの離型性を高くすることにより影響を無くすことができる。
【００５０】
一方、転写用紙の紙送り系のフィードミス等によって非常停止した場合、加熱ロール７及び加圧ロール８による転写用紙１５ａへのトナー像の転写定着ができずに、加圧ロール８に通常動作時よりも高濃度のトナー像が付着してしまう。この状態で放置していると、加圧ロール８とトナー像との付着力が増加してロールクリーナ１４によるクリーニングが困難になる。本実施形態においては、ロールクリーナ１４に独自の駆動源を設けることにより、中間転写ベルト５とは無関係に、すなわち中間転写ベルト５を駆動することなく加圧ロール８のクリーニングが可能となっている。そこで、非常停止の検知後すぐにロールクリーナ１４による加圧ロール８のクリーニングをするようにしているので、加圧ロール８とトナー像との付着力の増加を防止することができる。
【００５１】
図８は、請求項５に記載の発明の一実施形態である画像形成装置を示す概略構成図である。
この画像形成装置は、周面が周回可能に支持された無端ベルト状の中間転写体２０６を備えており、この中間転写体２０６と対向する位置に、イエロー、マゼンタ、シアン、ブラックのトナー像を形成する４つの画像形成ユニット２０１ａ、２０１ｂ、２０１ｃ、２０１ｄが配設されている。各画像形成ユニットは、感光体ドラム２０２ａ、２０２ｂ、２０２ｃ、２０２ｄと、帯電装置２０３ａ、２０３ｂ、２０３ｃ、２０３ｄと、光走査装置２０４と、現像装置２０５ａ、２０５ｂ、２０５ｃ、２０５ｄと、転写帯電器２０７ａ、２０７ｂ、２０７ｃ、２０７ｄとを備えている。
【００５２】
上記中間転写体２０６の内側には、それぞれヒーター２０８ａ、２０９ａ、２１０ａを内蔵する、ベルト駆動ロール２０８と、加熱ロール２０９と、定着ロール２１０と、さらに剥離ロール２１１とが設けられ、中間転写体２０６はこれら各ロールに張架されて図中に示す矢印方向に周回駆動される。また、該中間転写体２０６の周回方向における加熱ロール２０９の上流側には、中間転写体２０６の内側に沿って予備加熱板２１２と、該加熱ロール２０９の下流側には、加熱板２１３とが設けられており、予備加熱板２１２及び加熱板２１３に備えられた面状ヒータが中間転写体２０６上のトナー像を加熱するようになっている。そして、該加熱ロール２０９及び該予備加熱板２１２の近傍には第１の冷却装置２１４と、加熱板２１３の近傍には第２の冷却装置２１５とが設けられている。
【００５３】
さらに、上記定着ロール２１０と中間転写体２０６を介して対向する位置には、ヒーター２１６ａを内蔵し記録紙を挟みこんで加熱押圧する加圧ロール２１６が配設されており、図示しない用紙トレイから搬送された記録紙は、中間転写体２０６と該加圧ロール２１６との間に送り込まれ、トナー像の二次転写及び定着が行われる。上記駆動ロール２０８と中間転写体２０６を介して対向する位置には、ヒーター２１７ａを内蔵するベルトクリーナー２１７が配設されており、記録媒体に転写されずに中間転写体２０６に残留したトナーを除去する。また、加圧ロール２１６が設けられた位置の下流側には、中間転写体２０６の内側に沿って、転写定着後の記録紙を冷却するための冷却板２１８が設けられている。
【００５４】
この画像形成装置で、各画像形成ユニット２０１ａ、２０１ｂ、２０１ｃ、２０１ｄと、中間転写体２０６と、ベルトクリーナー２１５とは、図１に示す画像形成装置と同様のものが用いられている。
【００５５】
上記加熱ロール２０９は、該加熱ロール２０９の表面が所定の温度となるように制御される熱源２０９ａを内蔵している。そして、図９に示すように、支持部材３００の有するロールホルダー３０２にベアリングを介して回転自在に取り付けられ、該支持部材３００によって進退駆動可能に支持されている。
この支持部材３００は、スライダー３０１を介してフレームに摺動自在に取り付けられたロールホルダー３０２と、中間転写体２０６に対してロールホルダー３０２を付勢する圧縮バネ３０３と、シャフト３０４を介し、リトラクトモーター（図示しない）によって揺動されるレバー３０５と、回転支点３０９ａ、３０９ｂによって揺動可能に支持され、一端がロールホルダー３０２に係止されるアーム部材３０６ａ、３０６ｂと、該アーム部材３０６ａ、３０６ｂの他方の端部にベアリングを介して回転自在に取りつけられ、中間転写体２０６を予備加熱板２１２及び加熱板２１３から離間させる押し上げロール３０７ａ、３０７ｂとを有している。そして、該レバー３０５の近傍には、加熱ロール２０９の中間転写体２０６に対する位置を検出する位置検出用センサー３０８ａ、３０８ｂが設けられている。
【００５６】
上記冷却装置２１４、２１５は、ファンによって装置外部の空気を取りこみ、上記加熱ロール２０９、予備加熱板２１２及び加熱板２１３と、これらの加熱手段によって加熱される領域の中間転写体２０６とに吹き付け、該中間転写体２０６を所定時間内に所定温度以下に冷却するものである。
【００５７】
次に、上記画像形成装置の動作について説明する。
各感光体ドラム２０２ａ、２０２ｂ、２０２ｃ、２０２ｄ上に形成されたトナー像は、順次、中間転写体２０６上に重ね合わせて転写され、該中間転写体２０６上にフルカラーのトナー像が形成される。
【００５８】
中間転写体上に形成されたトナー像は、該中間転写体２０６の周回駆動に伴って、予備加熱板２１２、加熱ロール２０９及び加熱板２１３と対向する位置を通過し加熱されて溶融する。溶融したトナー像は、定着ロール２１０と加圧ロール２１６の圧接部に搬送され、これとタイミングを合わせて送り込まれた記録紙と当接し、トナー像は記録紙に融着される。該記録紙に融着されたトナー像は、冷却板２１７と対向する位置に搬送され、トナーの溶融温度以下に冷却されて記録紙に定着する。そして、記録紙は、剥離ロールが配置された位置において中間転写体２０６から剥離され、図示しないトレイへ排出される。
【００５９】
一方、記録紙に転写されずに該中間転写体２０６上に残留したトナーは冷えて固化した状態で、ベルトクリーナー２１７と対向する位置に搬送される。そして、該ベルトクリーナー２１７及びベルト駆動ロール２０８が有する加熱源２１７ａ、２０８ａによって加熱され、軟化してベルトクリーナー２１７表面に付着し、該中間転写体２０６から除去される。
【００６０】
次に、上記画像形成装置がプリント中にジャムや部品の故障等により非常停止した場合の、中間転写体加熱部の動作を図１０及び図１１に基づいて説明する。
ジャム等が発生すると、上記中間転写体２０６の駆動停止動作が開始するのとほぼ同時に、シャフト３０４がリトラクトモーターの駆動によって図１０中の矢印Ａの方向に回転し、第１の位置検知センサー３０８ａに検出されているレバー３０５が、第２の位置検知センサー３０８ｂに検出されるまで回転する。これにより、レバー３０５に係止されたロールホルダー３０２が矢印Bの方向に後退し、加熱ロール２０９が該中間転写体２０６から離間する。また、ロールホルダー３０２の後退に伴って、アーム部材３０６ａ、３０６ｂが回転支点３０９ａ、３０９ｂを中心に回転すると、押し上げロール３０７ａ、３０７ｂが矢印Cの方向に移動する。これにより、中間転写体２０６は、図１１に示すように、押し上げロール３０７ａ、３０７ｂによって張力が導入された状態に維持されるとともに、予備加熱板２１２及び加熱板２１３から離間する。
さらに、これとほぼ同時に、又は、中間転写体２０６が駆動停止した直後に冷却装置２１４、２１５が作動し、上記予備加熱板２１２、加熱ロール２０９及び加熱板２１３と、これらの加熱手段によって加熱される領域の中間転写体２０６とを冷却する。そして、該中間転写体２０６が所定の温度に下がると、該冷却装置２１４、２１５は停止する。
【００６１】
このため、上記中間転写体２０６は、装置の非常停止時からプリント再開までの間に、上記予備加熱板２１２、加熱ロール２０９及び加熱板２１３からの熱伝導及び輻射熱によって加熱され続けることがない。従って、記録紙に転写されずに中間転写体２０６に担持されているトナーの温度は急速に低下し、中間転写体２０６との付着力が増大するのを防ぐことができる。
【００６２】
また、上記加熱ロール２０９が該中間転写体２０６から離間するのと、上記押し上げロール３０７ａ、３０７ｂが中間転写体２０６を張架するのとは、連動して行われる。このため、中間転写体２０６を張架するための部材を特に設けなくても、中間転写体２０６の張力を維持することができる。そして、中間転写体２０６は再駆動の際に、周方向にずれたりせずに円滑に周回駆動することができる。
【００６３】
ジャムや部品の故障等が解消されると、上記中間転写体２０６を予備加熱板２１２、加熱ロール２０９及び加熱板２１３から離間させたまま、これらの加熱手段のウォームアップを行う。そして、プリント開始前に、該中間転写体２０６を周回駆動し、ベルトクリーナー２１７に接触させて、記録紙に転写されなかった残留トナーのクリーニングを行う。残留トナーと中間転写体２０６との付着力が多少高くなっいても、複数回ベルトクリーナー２１７に接触させることによって良好なクリーニングを行うことができる。
【００６４】
次に、中間転写体上で高温状態のまま放置されたトナー像と中間転写体との付着力を、加熱温度又は放置時間をパラメーターとして測定した結果を、図１２又は図１３に示す。
実際の装置では、中間転写体の加熱手段の温度は２００℃と高温であり、ジャム等による装置の非常停止があると、再駆動までに一般に１０分間近く要する。上記測定は、これらの温度及び復旧時間を想定して行ったものである。
図１３より、２００℃加熱放置下では、放置される時間が長いほど、トナー像と中間転写体との付着力が大きいことが分かる。また、図１２より、放置温度が約１３０℃以上では、放置される温度が高いほど付着力が大きいことが分かる。
【００６５】
次に、冷却装置による送風冷却効果について実験を行った結果を図１４に示す。
この結果からわかるように、冷却装置を用いることにより、中間転写体の加熱部を、約２分間でトナー像と中間転写体との付着力が小さい範囲である１３０℃以下に冷却することができる。このため、20×10-2Nの付着力のトナーがクリーニングできるクリーニング装置であれば、十分にクリーニングが可能となる。
なお、トナー像と中間転写体との付着力の増大量と放置温度、時間の関係は、該中間転写体の表面材料、トナー材料によって変わり、また、トナー像と中間転写体との付着力の許容限度は、クリーニング装置のクリーニング能力によって決まる。そのため、クリーニング装置の性能の範囲内に、トナー像と中間転写体との付着力の増大量が収まるような時間内に中間転写体を冷却することで安定したクリーニング性能を得ることができる。
【００６６】
一方、上記画像形成装置において、上記冷却装置２１４、２１５に代えて、図１５に示す冷却装置３１０、３１１を用いることもできる。
上記冷却装置３１０は、上記加熱ロール２０９、予備加熱板２１２と、これらの加熱手段によって加熱される領域の中間転写体２０６とを覆うように設けられた断熱部材３１０ａと、該断熱部材３１０ａに覆われた内部に装置外部の空気を送り込むファン３１０ｂと、空気を排出するファン３１０ｃとを有する。
また、上記冷却装置３１１は、上記加熱板２１３と、該加熱板２１３によって加熱される領域の中間転写体２０６とを覆うように設けられた断熱部材３１１ａと、該断熱部材３１１ａに覆われた内部に装置外部の空気を送り込むファン３１１ｂと、空気を排出するファン（図１５上では、空気を送り込むファン３１１ｂと同じ位置の手前側に設けられている）とを有する。これにより、中間転写体２０６の幅方向に空気流を発生させる。
【００６７】
上記ファン３１０ｂ、３１１ｂは、装置のウォームアップ時及びプリント時には停止している。そして、上記加熱ロール２０９、予備加熱板２１２及び加熱板２１３は、断熱部材３１０ａ、３１１ａに覆われているため、これらの加熱手段は内蔵するヒーターによって効率良く加熱され、ウォームアップ時間を短縮することができる。また、プリント時には、上記中間転写体２０６を効率良く加熱するとともに、放熱を少なくすることができる。
さらに、ジャム等により装置が非常停止し、ファン３１０ｂ、３１１ｂが作動した際には、上記断熱部材３１０ａ、３１１ａによってエアフローが規制されるため、効率良く冷却を行うことができる。なお、該断熱部材３１０ａ、３１１ａの材質は、空気の遮蔽効果が有れば、熱伝導が良い金属板などの材料でも十分機能する。
【００６８】
図１６は、本件発明と類似する構成を備えた定着装置を参考として示す概略構成図である。
この定着装置は、無端状の定着ベルト４００の内側に、内部に加熱源４０１ａを備えた定着ロール４０１と、該定着ロール４００と間隔をあけて支持された剥離ロール４０２と、ベルト保持ロール４０３とが設けられ、定着ベルト４００はこれら各ロールに張架されて図中に示す矢印方向に周回駆動される。定着ロール４０１と定着ベルト４００を介して対向する位置には、内部に加熱源４０４ａを備えた加圧ロール４０４が圧接されており、この圧接部の下流側には、定着ベルト４００の内側から定着ロール４００と加圧ロール４０４との間に進出するように移動可能に支持され、定着ロール４０１と定着ベルト４００とを離間させるベルト押し上げロール４０５と、定着後の記録紙を冷却するための冷却板４０６とが設けられている。定着ロール４０１と加圧ロール４０４との圧接位置の上流側には、定着ロール４０１に対向して、ヒーター４０７ａを内蔵するベルトクリーナー４０７が配設されており、記録媒体に転写されずに定着ベルト４００に残留したトナーを除去するようになっている。さらに、定着ロール４０１及びベルトクリーナー４０７の近傍には冷却装置４０８ａと、加圧ロール４０４の近傍には冷却装置４０８ｂとが配設されている。
【００６９】
上記定着ベルト４００は、ベース層と表面層との２層構造となっており、ベース層には、耐熱性、強度、表面平滑性を考慮してポリイミド、ポリアミド、ポリアミドイミド等の耐熱性樹脂や、アルミニウム、ステンレス等の金属を用い、表面層には、耐熱性及びトナーとの離型性の高いシリコーンゴム、フッ素ゴム等を用いている。
【００７０】
上記定着ロール４０１は、熱伝導率の高い金属製の円筒状芯金の内部にハロゲンランプなどのヒーター４０１ａを有しており、上記定着ベルト４００を介して記録紙Ｐを所定の温度で加熱する。また、定着ロール４０１と定着ベルト４００との密着性を高めるために、該定着ロール４０１の周面上に弾性層を設けている。
【００７１】
剥離ロール４０２は、直径が上記定着ロール４０１より小さいものが用いられ、定着ベルト４００を巻き回し、記録紙Ｐ自体の剛性を利用してロールの曲率によって移動する定着ベルト４００から記録紙Ｐを剥離するようになっている。
【００７２】
上記加圧ロール４０４は、定着ベルト４００を介して定着ロール４０１に圧接され、記録紙Ｐとトナー像とを圧着するもので、上記定着ロール４０１と同様にヒーター４０４ａを有し記録紙Ｐを裏側から加熱する。また、定着ロール４０１と同様にロール表面に弾性層を設けている。
また、該加圧ロール４０４は、装置の非常停止時には後方へ退避する機構を備えている。
【００７３】
なお、上記ベルトクリーナー４０７及び冷却装置４０８ａ、４０８ｂは、図８に示す画像形成装置と同様のものが用いられている。また、上記剥離ロール４０２、ベルト保持ロール４０３及びベルトクリーナー４０７は、図示しない支持部材によって進退駆動可能に支持されている。
【００７４】
次に、上記定着装置の動作について説明する。
図示しない転写装置によりイエロー、マゼンタ、シアン、ブラックの４色のトナーによるトナー像が記録紙に転写される。未定着のトナー像を担持した記録紙は、上記定着装置へ搬送され、定着ベルト４００に当接した状態で定着ロール４０１と加圧ロール４０４との圧接部に挟み込まれ加熱押圧される。これにより、トナー像は溶融して記録紙に圧着され、定着ベルト４００の循環移動によって冷却板４０６と対向する位置を通過する際にトナーの溶融温度以下に冷却され、記録紙に定着する。該記録紙は定着ベルト４００に蜜着したまま剥離ロール４０２が設けられた位置まで搬送され、剥離ロール４０２に沿って大きな曲率で曲げ回される定着ベルト４００から記録紙の剛性を利用して剥離される。
【００７５】
一方、記録紙が剥離される際に、該記録紙上のトナー像が十分に冷却されていないと、トナー間の凝集が十分でないため、トナーの一部が定着ベルト４００に転移してしまう、いわゆるオフセットが生じるおそれがある。オフセットしたトナーは、ベルトクリーナー４０７と対向する位置に搬送されて再び加熱され、ベルトクリーナー４０７に付着し定着ベルト４００から除去される。
【００７６】
図１７は、上記定着装置がプリント中にジャムや部品の故障等により非常停止した場合の状態図である。
ジャム等が発生すると、上記定着ベルト４００の駆動が停止するのとほぼ同時に、剥離ロール４０２、ベルト保持ロール４０３、加圧ロール４０４、ベルト押し上げロール４０６が図中矢印の方向に移動し、定着ベルト４００を定着ロール４０１及び加圧ロール４０４から離間させる。そして、これとほぼ同時に、冷却装置４０８ａ、４０８ｂが作動し、定着ロール４０１及び加圧ロール４０４と、これらの加熱手段によって加熱される領域の定着ベルト４００とを冷却する。
なお、ベルトクリーナー４０７が当接される位置から定着ロール４０１と加圧ロール４０４との圧接部までは、定着ベルト４００上の残留トナーがベルトクリーナー４０７によって除去されているので、定着ロール４０１に一部が接触していても支障は生じない。
【００７７】
上記のように、上記定着ベルト４００及び該定着ベルト４００と当接している未定着トナー像や、クリーニングされていないオフセットトナーは、装置の非常停止時からプリント再開までの間に、定着ロール４０１及び加圧ロール４０４からの熱伝導及び輻射熱によって加熱され続けることが回避される。従って、該定着ベルト４００とトナーとの付着力が増大するのを防ぐことができ、装置復旧後、ベルトクリーナー４０７によって良好なクリーニングができる。
【００７８】
【発明の効果】
以上説明したように、本願発明に係る画像形成装置では、装置がプリント中のジャムや部品の故障等により非常停止した場合に、記録媒体に転写できなかった中間転写ベルト上の未転写トナー像や、定着ベルトと当接している記録媒体上の未定着トナー像が高温の溶融状態で放置されるのを回避することができる。これにより、トナー像と中間転写ベルト又は定着ベルトとの付着力が増加するのを抑制することができ、長期にわたり良好なクリーニグ性能を維持した画像形成装置を実現することができる。
【図面の簡単な説明】
【図１】  請求項１、請求項２、請求項３又は請求項４に記載の発明の一実施形態である画像形成装置を示す概略構成図である。
【図２】  図１に示す画像形成装置が非常停止し、未転写トナー像が中間転写ベルト上に残留した例を示す説明図である。
【図３】  中間転写ベルトの駆動が不可能と判断された場合の未転写トナー像の退避動作の一例を示す図である。
【図４】  中間転写ベルトの駆動が可能と判断された場合の未転写トナー像の退避動作の一例を示す図である。
【図５】  トナー像の加熱放置時間と、中間転写ベルトへの付着力との関係を示すグラフである。
【図６】  従来の画像形成装置の一例を示す概略構成図である。
【図７】  従来の画像形成装置が非常停止し、未転写トナー像が中間転写ベルト上に残留した例を示す概略構成図である。
【図８】  請求項５に記載の発明の一実施形態である画像形成装置を示す概略構成図である。
【図９】  図８に示す画像形成装置における中間転写体加熱部の概略図である。
【図１０】  図８に示す画像形成装置が非常停止した際の、加熱ロールの支持部材の動作を示す説明図である。
【図１１】  図８に示す画像形成装置が非常停止した際の、加熱ロールの支持部材の動作を示す説明図である。
【図１２】  中間転写体上の残留トナーの加熱放置温度と付着力との関係を示すグラフである。
【図１３】  中間転写体上の残留トナーの加熱放置時間と付着力との関係を示すグラフである。
【図１４】  中間転写体加熱部の送風冷却効果を示すグラフである。
【図１５】  図８に示す画像形成装置で用いることのできる他の冷却装置を示す概略構成図である。
【図１６】  本件発明と類似する構成を備えた定着装置を参考として示す概略構成図である。
【図１７】  図１６に示す定着装置が非常停止した際の動作を示す説明図である。
【図１８】  従来の定着装置の一例を示す概略構成図である。
【符号の説明】
１  感光体ドラム                    ２  帯電装置
３  像書き込み装置                  ４  現像装置
５  中間転写ベル                    ６  転写帯電器
７  加熱ロール                      ８  加圧ロール
９  ベルト加熱板                  １０  画像形成ユニット
１１  ベルトクリーナ                １２  クリーナ対向ロール
１３  ベルト駆動ロール              １４  ロールクリーナ
２１  中間転写ベルト弛緩ロール      ２２  中間転写ベルト離間ロール
２３  中間転写ベルト離間ロール      ２４  用紙剥離ロール
２５  中間転写ベルト離間ロール      ３１  センサ
３２  駆動可能判断手段              ３３  モータ
２０１  画像形成ユニット            ２０２  感光体ドラム
２０３  帯電装置                    ２０４  光走査装置
２０５  現像装置                    ２０６  中間転写体
２０７  転写帯電器                  ２０８  ベルト駆動ロール
２０９  加熱ロール                  ２１０  定着ロール
２１１  剥離ロール                  ２１２  予備加熱板
２１３  加熱板                      ２１４  第１の冷却装置
２１５  第１の冷却装置              ２１６  加圧ロール
２１７  ベルトクリーナー            ２１８  冷却板
３００  支持部材                    ３０１  スライダー
３０２  ロールホルダー              ３０３  圧縮バネ
３０４  シャフト                    ３０５  レバー
３０６  アーム部材                  ３０７  押し上げロール
３０８  位置検出用センサー          ３０９  回転支点
３１０  冷却装置                    ３１１  冷却装置
４００  定着ベルト                  ４０１  定着ロール
４０２  剥離ロール                  ４０３  ベルト保持ロール
４０４  加圧ロール                  ４０５  押し上げロール
４０６  冷却板                      ４０７  ベルトクリーナー
４０８  冷却装置
【図１】
0004186418.tif 000002
【図２】
0004186418.tif 000003
【図３】
0004186418.tif 000004
【図４】
0004186418.tif 000005
【図５】
0004186418.tif 000006
【図６】
0004186418.tif 000007
【図７】
0004186418.tif 000008
【図８】
0004186418.tif 000009
【図９】
0004186418.tif 000010
【図１０】
0004186418.tif 000011
【図１１】
0004186418.tif 000012
【図１２】
0004186418.tif 000013
【図１３】
0004186418.tif 000014
【図１４】
0004186418.tif 000015
【図１５】
0004186418.tif 000016
【図１６】
0004186418.tif 000017
【図１７】
0004186418.tif 000018
【図１８】
0004186418.tif 000019